(57)【特許請求の範囲】
【請求項１】
昇降路内を昇降する乗り籠と、この乗り籠の昇降軌道と干渉しないように前記昇降路内の前記乗り籠の昇降軌道の背面側に配置された扁平な薄型巻上機と、
前記乗り籠の昇降軌道と干渉しないように前記乗り籠の昇降路内に配置された第１シーブ及び第２シーブと、
前記乗り籠の昇降軌道の背面側に配置されて前記昇降路内を昇降するカウンタウェイトと、
前記薄型巻上機、前記第１シーブ及び第２シーブに巻きつけられ、一端側に前記乗り籠を吊り下げ、他端側に前記カウンタウェイトを吊り下げるロープと、
前記カウンタウェイトを案内するカウンタウェイトガイドレールの上端部に設けられ、前記薄型巻上機、前記第１シーブ及び第２シーブを支持する支持構造物と、を備え、
前記乗り籠はその底面の下方を通る前記ロープに支持されており、前記ロープは前記乗り籠の両側の側面から前記乗り籠の底面の下方に導かれているとともに、
前記ロープは、前記薄型巻上機から前記第１シーブを経由して前記乗り籠まで延び、前記第１シーブは、前記カウンタウェイトの最上部位置よりも上の前記カウンタウェイトの昇降軌道の延長部に配置されている
ことを特徴とするエレベータ装置。
【請求項２】
前記薄型巻上機は、鉛直方向に配置され、
前記支持構造物は、前記薄型巻上機の上部及び下部の双方を支持している
ことを特徴とする請求項１に記載のエレベータ装置。
【請求項３】
前記第１シーブ及び前記第２シーブは、それぞれ鉛直方向に配置されると共に、互いに直交するように配置されている
ことを特徴とする請求項１または２に記載のエレベータ装置。
【請求項４】
前記第１シーブ及び前記薄型巻上機は、略同一平面内に配置されている
ことを特徴とする請求項１乃至３のいずれかに記載のエレベータ装置。
【請求項５】
前記支持構造物に、前記ロープのカウンタウェイトを吊り下げる側の一端を固定するロープヒッチが設けられている
ことを特徴とする請求項１乃至４のいずれかに記載のエレベータ装置。
【請求項６】
前記薄型巻上機のロープ保持部分および前記第１シーブは、その全体が前記カウンタウェイトの昇降軌道の延長部内に位置している
ことを特徴とする請求項１乃至５のいずれかに記載のエレベータ装置。
【請求項７】
前記ロープは、前記薄型巻上機から前記第１シーブ及び前記第２シーブを経由して前記乗り籠まで延びている
ことを特徴とする請求項１乃至６のいずれかに記載のエレベータ装置。
【請求項８】
請求項１に記載のエレベータ装置の組立方法であって、
薄型巻上機、第１シーブ及び第２シーブを支持構造物により支持してやぐらユニットを組立てる工程と、
前記やぐらユニットをカウンタウェイトガイドレールの上端部に取付ける工程と、
を備えたことを特徴とするエレベータ装置の組立方法。
【発明の詳細な説明】
【０００１】
【発明の属する技術分野】
本発明は、カウンタウェイト（釣合い錘とも呼ばれる、以下Ｃ／Ｗと略す）の昇降軌道を乗り籠の昇降軌道の背面側に配置したエレベータ装置において、乗り籠及びＣ／Ｗの昇降制御のためのロープを案内するロープ案内機構を改良したエレベータ装置及びその組立方法に関する。
【０００２】
【従来の技術】
Ｃ／Ｗの昇降軌道を乗り籠の側面側ではなく背面側に配置したエレベータ装置は、例えば特開平９−１５６８５５号公報に記載されている。図３及び図４に、同公報の図１及び図１０と略同一の図を示す。
【０００３】
図３に示すようなエレベータ装置では、乗り籠１５４の昇降軌道の背面側に、Ｃ／Ｗ１５２の昇降軌道が配置されている。
【０００４】
図４に示すようなエレベータ装置でも、乗り籠１５４の昇降軌道の背面側に、Ｃ／Ｗ１５２の昇降軌道が配置されている。この場合には、シーブ１６３及び１６５の存在により、乗り籠１５４の重心吊りが可能となっている。
【０００５】
【発明が解決しようとする課題】
しかしながら、図３に示す場合には、薄型巻上機１４９を支持する梁１１９、１１９ａを昇降路の上部に設置する必要があり、建築工事が増加する。
【０００６】
また、図４に示す場合には、薄型巻上機１４９を支持する梁１１９、１１９ａを、昇降路の上部に設置する必要がある他、シーブ１６３を昇降路天井に支持したり、シーブ１６５をピットに固定する必要がある。更に、ロープ１２５の長さも、シーブ１６３及び１６５間に延びる分だけ長くする必要がある。
【０００７】
本発明は、このような点を考慮してなされたものであり、Ｃ／Ｗの昇降軌道を乗り籠の昇降軌道の背面側に配置したエレベータ装置において、昇降路等の建築工事に負荷をかけること無く構成でき、乗り籠及びＣ／Ｗの昇降制御のためのロープを円滑に案内することができるロープ案内機構を有するエレベータ装置及びその組立方法を提供することを目的とする。
【０００８】
【課題を解決するための手段】
本発明は、昇降路内を昇降する乗り籠と、この乗り籠の昇降軌道と干渉しないように前記昇降路内の前記乗り籠の昇降軌道の背面側に配置された扁平な薄型巻上機と、前記乗り籠の昇降軌道と干渉しないように前記乗り籠の昇降路内に配置された第１シーブ及び第２シーブと、前記乗り籠の昇降軌道の背面側に配置されて前記昇降路内を昇降するカウンタウェイトと、前記薄型巻上機、前記第１シーブ及び第２シーブに巻きつけられ、一端側に前記乗り籠を吊り下げ、他端側に前記カウンタウェイトを吊り下げるロープと、前記カウンタウェイトを案内するカウンタウェイトガイドレールの上端部に設けられ、前記薄型巻上機、前記第１シーブ及び第２シーブを支持する支持構造物と、を備え、前記乗り籠はその底面の下方を通る前記ロープに支持されており、前記ロープは前記乗り籠の両側の側面から前記乗り籠の底面の下方に導かれているとともに、前記ロープは、前記薄型巻上機から前記第１シーブを経由して前記乗り籠まで延び、前記第１シーブは、前記カウンタウェイトの最上部位置よりも上の前記カウンタウェイトの昇降軌道の延長部に配置されている
ことを特徴とするエレベータ装置である。
【０００９】
本発明によれば、薄型巻上機、第１シーブ及び第２シーブを支持する支持構造がカウンタウェイトガイドレールによって支持されるため、昇降路等の建築工事に負荷をかけること無く構成でき、乗り籠及びＣ／Ｗの昇降制御のためのロープを円滑に案内することができる。
【００１０】
また本発明は、特許請求の範囲の請求項１に記載のエレベータ装置の組立方法であって、薄型巻上機、第１シーブ及び第２シーブを支持構造物により支持してやぐらユニットを組立てる工程と、前記やぐらユニットをカウンタウェイトガイドレールの上端部に取付ける工程と、を備えたことを特徴とするエレベータ装置の組立方法である。
【００１１】
本発明によれば、やぐらユニットを組立てた後に、当該やぐらユニットをカウンタウェイトガイドレールの上端部に取付けるため、薄型巻上機、第１シーブ及び第２シーブの昇降路内への構築が極めて効率的に実施され得る。
【００１２】
【発明の実施の形態】
以下、図面を参照して本発明の実施の形態について説明する。
【００１３】
図１は、本発明の一実施の形態によるエレベータ装置の概略斜視図であり、図２は、図１のエレベータ装置部分の拡大斜視図である。図１及び図２に示すように、昇降路内に設けられた一対の乗り籠ガイドレール２ａ，２ｂに沿って乗り籠４が昇降するようになっている。乗り籠４の背面側にはＣ／Ｗガイドレール１ａ，１ｂが設けられており、このＣ／Ｗガイドレール１ａ，１ｂに沿ってＣ／Ｗ３が昇降するようになっている。乗り籠４とＣ／Ｗ３は薄型巻上機１１のシーブに巻きかけられたロープ５の両端側に吊り下げられており、薄型巻上機１１を回転駆動することによってロープ５を介して相反する方向に昇降する。薄型巻上機１１を含む駆動系はやぐらユニット３０に組み込まれている。やぐらユニット３０は、Ｃ／Ｗガイドレール１ａ、１ｂの真上に設けられた支持構造物２０を備えている。
【００１４】
支持構造物２０は、扁平な薄型巻上機１１と、第１シーブ１２と、第２シーブ１３とを、それぞれ乗り籠４の昇降軌道と干渉しないように乗り籠４の昇降軌道と昇降路の壁との間に配置されるように支持している。
【００１５】
支持構造物２０は、この場合、Ｃ／Ｗガイドレール１ａ、１ｂの上方に取付けられたブラケット部材２１ａ、２１ｂと、ブラケット部材２１ａ、２１ｂの上方に渡された２段横梁２２と、２段横梁２２上にＣ／Ｗガイドレール１ａ、１ｂの延長方向に設けられた縦枠材２３ａ、２３ｂと、両縦枠材２３ａ及び２３ｂの上面に略水平に渡された上部梁２４と、を備えている。
【００１６】
上部梁２４と一方の乗り籠ガイドレール２ａに設けられたブラケット２ｋとの間には、略水平のビーム２５が渡されている。乗り籠４の移動軌道に対してこの乗り籠ガイドレール２ａと略対称の位置には、他方の乗り籠ガイドレール２ｂが設けられている。
【００１７】
本実施の形態の薄型巻上機１１は、鉛直方向、すなわち、回転軸が水平となるように配置されており、薄型巻上機１１の上部及び下部が、それぞれ上部梁２４及び２段横梁２２の上梁２２ｕによって支持されている。
【００１８】
また、第１シーブ１２は、２段横梁２２の上梁２２ｕと下梁２２ｄとの間に固定されたシーブ用ブラケット２６によって、鉛直方向、すなわち、回転軸が水平となるように支持されている。
【００１９】
２段横梁２２の上梁２２ｕと下梁２２ｄとは、図２に示すように、第１シーブ１２を回動可能に収容すると共に後述するロープ５の通過を許容する中空部を形成すべく、Ｃ型ビーム材によって構成されている。このため、シーブ用ブラケット２６を取外すことによって、第１シーブ１２を容易に交換することができる。
【００２０】
この場合、第１シーブ１２と薄型巻上機１１とは、略同一平面内に配置されている。更に、第１シーブ１２の第２乗り籠ガイドレール２ｂ側の面が、巻上機１１のビーム２５側（第１乗り籠ガイドレール２ａ側）の面の略直下に存在するようになっている。
【００２１】
また、第２シーブ１３は、ビーム２５に固定されたシーブ用ブラケット２７によって、鉛直方向、すなわち、回転軸が水平となるように支持されている。この第２シーブ１３の奥行側（Ｃ／Ｗ側）の周面は、第１シーブ１２のビーム２５側の周面の略直上に存在するようになっている。この場合、第１シーブのビーム２５側の周面の略直上には縦枠材２３ａが配置されており、この縦枠材２３ａは第２シーブ１３の奥行側周面部分を収容すると共に後述するロープ５の通過を許容すべく、Ｃ形のビーム材で構成されている。更に、第１シーブ１２及び第２シーブ１３は、互いに直交するようになっている。
【００２２】
縦枠材２３ａは、Ｃ型のビーム材の他、ハット型のビーム材であってもよい。一方、縦枠材２３ｂについては、昇降路壁面からの取付けが容易な形態、例えば、Ｈ型鋼等が用いられる。
【００２３】
その他、薄型巻上機１１の下部の上梁２２ｕ及び下梁２２ｄの間には、ロープ５のＣ／Ｗ３を吊り下げる側の一端を固定するロープヒッチ２８が設けられている。
【００２４】
また、Ｃ／Ｗガイドレール１ａ、１ｂに沿って昇降可能に設けられたＣ／Ｗ３は、上方中央部分にＣ／Ｗシーブ３ａを有している。
【００２５】
一方、乗り籠４の底面部の下方側には、底面シーブ４ａ、４ｂが設けられている。両底面シーブ４ａ及び４ｂを結ぶ直線は、乗り籠４の重心の直下を通るようになっている。
【００２６】
また、乗り籠ガイドレール２ｂの上部の薄型巻上機１１と略同じ高さ位置の個所には、ロープ５の乗り籠４を吊り下げる側の一端を固定するロープヒッチ２ｈが設けられている。
【００２７】
そして、このようなやぐらユニット３０が採用された場合、乗り籠４及びＣ／Ｗ３の昇降制御のためのロープ５は、ロープヒッチ２８から、Ｃ／Ｗシーブ３ａ、巻上機１１、第１シーブ１２、９０度ねじれて第２シーブ１３、更にねじれて乗り籠４の底面シーブ４ａ、４ｂを介して、ロープヒッチ２ｈにまで渡されている。
【００２８】
次に、本実施の形態の作用について説明する。
【００２９】
薄型巻上機１１が作動すると、ロープ５が所定方向に巻き上げられる。例えば図２に示すＡ方向にロープ５が移動する場合、乗り籠２が上昇すると共にＣ／Ｗ３が下降し、Ｂ方向にロープ５が移動する場合、乗り籠２が下降すると共にＣ／Ｗ３が上昇する。両底面シーブ４ａ及び４ｂを結ぶ直線が乗り籠４の重心の直下を通っていることにより、いわゆる乗り籠４の重心吊りが実現されており、乗り籠４は安定した昇降を行うことができる。
【００３０】
本実施の形態によれば、薄型巻上機１１、第１シーブ１２及び第２シーブ１３を支持する支持構造物２０がＣ／Ｗガイドレール１ａ、１ｂによって支持されるため、昇降路等の建築工事に負荷をかけること無く、乗り籠４及びＣ／Ｗ３の昇降制御のためのロープ５を円滑に案内することができる。
【００３１】
また、ロープ５の長さも、必要最小限度に抑えることができ、ロープ５の振れ対策などが不要である。
【００３２】
更に、本実施の形態は、２：１ローピングタイプなので、薄型巻上機１１の容量が小さく、薄型巻上機１１が昇降路スペースを圧迫することがない。
【００３３】
また、ロープヒッチ２８が巻上機１１の下方に設けられているため、Ｃ／Ｗシーブ３ａを介したロープ５の配置バランスに優れる他、Ｃ／Ｗ３の幅を効果的に利用することができる。もっとも、Ｃ／Ｗガイドレール１ｂにロープヒッチ２８を支持させることも可能である。
【００３４】
なお、図１及び図２に示すようなエレベータ装置を組立てる場合には、まず薄型巻上機１１、第１シーブ１２及び第２シーブ１３を支持構造物２０により支持してやぐらユニット３０を組立てる。その後にやぐらユニット３０をＣ／Ｗガイドレール１ａ、１ｂの上端部に取付ける。この場合、Ｃ／Ｗガイドレール１ａ，１ｂの真上に取付けることが好ましい。このようにすると、薄型巻上機１１，第１シーブ１２及び第２シーブ１３の昇降路内への構築が極めて効率的に実施され得る。
【００３５】
もっとも、支持構造物２０及び巻上機１１等を、Ｃ／Ｗガイドレール１ａ、１ｂの上端部に順次構築していくことも可能である。このような構築方法の一例を説明する。
【００３６】
まず、Ｃ／Ｗガイドレール１ａ、１ｂの頂部に、ブラケット部材２１ａ、２１ｂが取付けられる。そして、第１シーブ１２及びロープヒッチ２８を組込んだ２段横梁２２が、ブラケット部材２１ａ、２１ｂの上に載置される。
【００３７】
その後、縦枠材２３ａ、２３ｂ及び薄型巻上機１１が２段横梁２２の上に設置され、上部梁２４が渡されて、縦枠材２３ａ、２３ｂ及び薄型巻上機１１が固定される。
【００３８】
続いて、ブラケット２ｋが乗り籠ガイドレール２ａの上部に取付けられ、ビーム２５が渡される。そしてシーブ用ブラケット２７によって第２シーブ１３が支持される。
【００３９】
【発明の効果】
本発明によれば、薄型巻上機、第１シーブ及び第２シーブを支持する支持構造物がＣ／Ｗガイドレールによって支持されるため、昇降路等の建築工事に負荷をかけること無く構成でき、乗り籠及びＣ／Ｗの昇降制御のためのロープを円滑に案内することができる。
【００４０】
また、本発明によれば、薄型巻上機等を組込んでやぐらユニットを組立てた後に、当該やぐらユニットをＣ／Ｗガイドレールの上端部に取付けるため、昇降路内における薄型巻上機、第１シーブ及び第２シーブの構築が極めて効率的に実施され得る。
【図面の簡単な説明】
【図１】本発明の一実施の形態によるエレベータ装置を示す概略斜視図。
【図２】図１のエレベータ装置を示す拡大斜視図。
【図３】従来のエレベータ装置の概略構成図。
【図４】従来のエレベータ装置の概略構成図。
【符号の説明】
１ａ、１ｂ  Ｃ／Ｗガイドレール
２ａ  乗り籠ガイドレール
２ｋ  ブラケット
２ｂ  乗り籠ガイドレール
２ｈ  ロープヒッチ
３  Ｃ／Ｗ
３ａ  Ｃ／Ｗシーブ
４  乗り籠
４ａ、４ｂ  底面シーブ
５  ロープ
１１  薄型巻上機
１２  第１シーブ
１３  第２シーブ
２０  支持構造物
２１ａ、２１ｂ  ブラケット部材
２２  ２段横梁
２２ｕ  上梁
２２ｄ  下梁
２３ａ、２３ｂ  縦枠材
２４  上部梁
２５  ビーム
２６  シーブ用ブラケット
２７  シーブ用ブラケット
２８  ロープヒッチ
３０  エレベータ装置
【図１】
0003744764.tif 000002
【図２】
0003744764.tif 000003
【図３】
0003744764.tif 000004
【図４】
0003744764.tif 000005